(57)【要約】    【課題】  簡単な構成で落とし込み型のロール紙の安定した繰り出しを可能にしたプリンタの印字媒体収納部を提供することを課題とする。【解決手段】  ロール状に巻回された印字媒体３１を半円弧状の収納部本体３に収納し、収納部本体３より繰り出しつつ印字部３３にて印字媒体３１の印字面に印字を施すプリンタ１の印字媒体収納部２であって、半円弧状の収納部本体３の印字媒体繰り出し方向前方の端部４ａに、印字媒体の幅方向にわたって印字媒体の乗り上げ防止用のストッパローラ５を回転自在に設けたことを特徴とする。【選択図】        図２
2010064300.tif 000002
【特許請求の範囲】
【請求項１】
ロール状に巻回された印字媒体を半円弧状の収納部本体に収納し、収納部本体より繰り出しつつ印字部にて印字媒体の印字面に印字を施すプリンタの印字媒体収納部であって、
前記半円弧状の収納部本体の印字媒体繰り出し方向前方の端部に、前記印字媒体の幅方向にわたって印字媒体の乗り上げ防止用のストッパローラを回転自在に設けたことを特徴とするプリンタの印字媒体収納部。
【請求項２】
前記収納部本体は、前記ストッパローラが設けられた繰り出し方向前方の端部が、対峙する繰り出し方向後ろの端部よりも高さ方向で高く形成されていることを特徴とする請求項１記載のプリンタの印字媒体収納部。
【発明の詳細な説明】
【技術分野】
【０００１】
本発明は、特に、ドロップインタイプ（投げ込み型）の印字媒体（ロール紙）を円滑に繰り出すプリンタの印字媒体収納部に関する。
【背景技術】
【０００２】
従来、ロール状に巻回されたロール紙（印字媒体）を半円弧状のロール紙収納部に収納し、このロール紙収納部より繰り出しつつプリンタユニット（印字部）にてロール紙の印字面に印字を施す端末機器（プリンタ）が知られている（例えば、特許文献１の図２参照）。
この端末機器によれば、ロール収納部の後端上部に設けたロール紙カバーの基部を回転可能に支持し、ロール紙カバーを開放した状態でロール紙カバーにてロール紙を支持し、次いでロール紙カバーを閉じることによりロール紙カバーに支持されたロール紙が転がってロール紙収納部に収納されるようになっており、ロール紙カバーを閉じるだけでロール紙がロール紙収納部に収納される、いわゆる、「ドロップインタイプ」、あるいは、「落し込み型」と称される種類のロール紙（印字媒体）を採用した端末機器（プリンタ）である。
図５ないし図８を用いて、特許文献１におけるロール紙収納部にドロップインタイプ（落し込み型）のロール紙が収納された状態を説明する。
図５は、印字媒体であるロール紙３１の表面側に印字面が形成された、いわゆる「表巻き」と称するロール紙３１ａを半円弧状のロール紙収納部３０に収納した状態を示しており、このロール紙収納部３０よりロール紙挿入口３２を経てプリンタユニット（印字部）３３にロール紙３１を繰り出して印字ヘッド３４およびプラテンローラ３５の間にロール紙（印字媒体）３１を挟持し、印字ヘッド３４にて所望の情報を印字しながらロール紙３１をロール紙排出口３６へと排出するようになっている。
他方、図7は、ロール紙（印字媒体）３１の内面側に印字面が形成された、いわゆる「裏巻き」と称するロール紙３１ｂを半円弧状のロール紙収納部３０に収納した状態を示しており、このロール紙収納部３０よりロール紙挿入口３２を経てプリンタユニット３３にロール紙３１を繰り出しプリンタユニット３３にて所望の情報を印字しながらロール紙３１をロール紙排出口３６へと排出するようになっている。
しかしながら、単にロール紙３１を落とし込んだドロップインタイプ（落し込み型）は、図示せぬ筺体などに係止されていないため繰り出し方向に引っ張られ易いという問題がある。すなわち、使い始めのロール紙３１はロール径が大きいため、図示省略のロール紙カバーなどにて押さえられ、かつ、質量もあって重たいためロール紙収納部３０の底面部３７近辺に留まっているが、使用が進んでロール径が小さくなるとロール紙カバー(図示省略)などにて押さえられることもなくなり、かつ、質量が軽くなって繰り出し方向の引っ張り力に抗し切れず、ロール紙挿入口３２側へと引っ張られ易くなるという問題があった。
図６は、表巻きのロール紙３１ａが半円形状のロール紙収納部３０の斜面部３８を摺動してロール紙挿入口３２側へと引っ張られる状態を示す概略説明図、図８は、裏巻きのロール紙３１ｂが斜面部３８をロール紙挿入口３２側へと引っ張られる状態を示す概略説明図である。
【０００３】
【特許文献１】特開平５−２９４０３２号公報
【発明の開示】
【発明が解決しようとする課題】
【０００４】
本発明は、上記の問題点に着目して成されたものであり、簡単な構成でドロップインタイプ(落とし込み型)のロール紙の安定した繰り出しを可能にしたプリンタの印字媒体収納部を提供することを課題とする。
【課題を解決するための手段】
【０００５】
本発明に係るプリンタの印字媒体収納部は、ロール状に巻回された印字媒体を半円弧状の収納部本体に収納し、収納部本体より繰り出しつつ印字部にて印字媒体の印字面に印字を施すプリンタの印字媒体収納部であって、前記半円弧状の収納部本体の印字媒体繰り出し方向前方の端部に、前記印字媒体の幅方向にわたって印字媒体の乗り上げ防止用のストッパローラを回転自在に設けたことを特徴とする。
また、収納部本体は、ストッパローラが設けられた繰り出し方向前方の端部が、対峙する繰り出し方向後ろの端部よりも高さ方向で高く形成されるようにできる。
【発明の効果】
【０００６】
本発明のプリンタの印字媒体収納部は、ロール状に巻回された印字媒体を半円弧状の収納部本体に収納し、収納部本体より繰り出しつつ印字部にて印字媒体の印字面に印字を施すようにしたプリンタの印字媒体収納部の収納部本体の印字媒体繰り出し方向前方の端部に、印字媒体の幅方向にわたって印字媒体の乗り上げ防止用のストッパローラを回転自在に設けたので、ロール径が小さくなると印字媒体がストッパローラ５に当接するためこのストッパローラの回転の補助により円滑に繰り出され、かつ、ストッパローラが乗り上げ防止の役割を果たすため、繰り出し方向への移動が抑制されるという効果がある。
また、収納部本体は、ストッパローラが設けられた繰り出し方向前方の端部を、対峙する繰り出し方向後ろの端部よりも高さ方向で高く形成すれば、繰り出し方向前方の端部に至る傾斜部が長く形成されて傾斜部を記録媒体が摺動するため、繰り出し方向への移動が抑制されるものである。
【発明を実施するための最良の形態】
【０００７】
以下、本発明の第１の実施の形態につき、図１および図２に基づいて説明する。
なお、以下において、従来と同様の部分には同一符号を付すに止め、詳説は省略する。
図１および図２は、プリンタ１の印字媒体収納部２を示す概略説明図であり、プリンタ１は、印字ヘッド３４およびプラテンローラ３５を備えた印字部３３と、「印字媒体」としてのロール紙３１を落とし込んで収納する「ロール紙収納部」としての収納部本体３とを備える。なお、説明の都合上、図１および図２においては、表巻きのロール紙３１ａを使用した例で説明する。
収納部本体３は、半円弧状を呈しており、ロール紙(印字媒体)３１繰り出し方向の半円弧状の端部４ａにストッパローラ５が回転自在に設けられている。また、ストッパローラ５が形成されている端部４ａは、収納されたロール紙３１を挟んで対峙する端部４ｂより高さ方向で高い位置に形成されている。したがって、ロール紙３１ａを繰り出す側の端部４ａ下の傾斜面６ａは、対峙する端部４ｂ下の傾斜面より長く形成されている。図１は、上記収納部本体３に使い始めの大径のロール紙３１ａを落とし込んだ状態を示している。
【０００８】
次に、主に、図２を用いて作動状態につき説明する。
図２は、ロール紙３１ａの使用が進んで、ロール径が小さくなった状態を示す図１相当の概略説明図である。ロール径が小さくなるとロール紙３１ａは、ストッパローラ５に当接し、このストッパローラ５の回転の補助により印字部３３側へ円滑に繰り出される。
さらに、ストッパローラ５が形成されている端部４ａ側の半円弧状の傾斜面６ａが、対峙する端部４ｂの傾斜面より長く形成されているため下方への落ち込みが大きく、また、質量が軽くなって繰り出し方向に引っ張られたとしても、繰り出し方向の端部４ａに設けられたストッパローラ５が、ロール紙３の乗り上げ防止の役割を果たすため、繰り出し方向への移動が抑制されるものである。
【０００９】
次に、図３および図４に基づき、第２の実施の形態につき説明する。
なお、以下において、先の実施の形態と同様の部分は同一符号を付すに止め、詳説を省略する。
図３は、プリンタ１の印字媒体収納部２の収納部本体１３に、使い始めの裏巻きの大径のロール紙３１ｂを落とし込んだ状態を示す図１相当の概略説明図である。
半円弧状の収納部本体１３は、ロール紙３１ｂの繰り出し方向の端部１４ａにストッパローラ５が回転自在に設けられている。また、ストッパローラ５が形成されている端部１４ａは、収納されたロール紙３１ｂを挟んで対峙する端部１４ｂより高さ方向で高い位置に形成され、かつ、ストッパローラ５が設けられる端部１４ａに向かって形成される傾斜面１６ａは、ロール紙３１ｂ繰り出し方向とは反対側である後ろの端部１４ｂ側に反り返った状態で形成されている。したがって、ロール紙３１ｂが大径の状態において、印字部３３側に繰り出されたとき、ロール紙３１ｂは方向を変える、いわゆる「転向」状態となり、端部１４ａ設けられているストッパローラ５に常に当接してこのストッパローラ５の回転で繰り出されるため、円滑に繰り出されるものである。
【００１０】
次に、図４に基づき、作動状態につき説明する。
図４は、ロール紙３１ｂの使用が進んで、ロール径が小さくなった状態を示す図２相当の概略説明図である。ロール径が小さくなり質量が小さくなるとロール紙３１ｂは、繰り出し方向に引っ張られ易くなる。しかしながら、端部１４ａに至る傾斜面１６ａが反り返って形成されており、端部１４ａに設けられたストッパローラ５にロール紙３１ｂが常時、当接しているため円滑な繰り出しが図れるものであり、かつ、ストッパローラ５がロール紙３１ｂの乗り上げ防止の役割を果たし、かつ、長く反り返った傾斜面１６ａにてロール紙３１ｂが摺動するため繰り出し方向への移動が抑制されるものである。
その他の構成、作用、効果については、先の実施の形態とほぼ同様につき詳説を省略する。
【００１１】
なお、上記実施の形態の構成及び動作は例であって、本発明の趣旨を逸脱しない範囲で適宜変更することができることは言うまでもない。
【図面の簡単な説明】
【００１２】
【図１】本発明に係るプリンタの印字媒体収納部に、大径の表巻きの印字媒体を落とし込んだ状態を示す概略説明図である。
【図２】同、使用が進んで印字媒体が小径になった状態を示す概略説明図である。
【図３】同、大径の裏巻きの印字媒体を落とし込んだ状態を示す概略説明図である。
【図４】同、使用が進んで印字媒体が小径になった状態を示す概略説明図である。
【図５】従来のプリンタの印字媒体収納部に、大径の表巻きの印字媒体を落とし込んだ状態を示す概略説明図である。
【図６】同、使用が進んで印字媒体が小径になった状態を示す概略説明図である。
【図７】同、大径の裏巻きの印字媒体を落とし込んだ状態を示す概略説明図である。
【図８】同、使用が進んで印字媒体が小径になった状態を示す概略説明図である。
【符号の説明】
【００１３】
１    プリンタ
２    印字媒体収納部
３    収納部本体
４ａ  端部
４ｂ  端部
５    ストッパローラ
６ａ  傾斜面
１３  収納部本体
１４ａ  端部
１４ｂ  端部
１６ａ  傾斜面
３０  ロール紙収納部
３１  ロール紙
３１ａ  表巻き
３１ｂ  裏巻き
３２  ロール紙挿入口
３３  印字部(プリンタユニット)
３４  印字ヘッド
３５  プラテンローラ
３６  ロール紙排出口
３７  底面部
３８  傾斜部
【図１】
2010064300.tif 000003
【図２】
2010064300.tif 000004
【図３】
2010064300.tif 000005
【図４】
2010064300.tif 000006
【図５】
2010064300.tif 000007
【図６】
2010064300.tif 000008
【図７】
2010064300.tif 000009
【図８】
2010064300.tif 000010